(57)【要約】      （修正有）【課題】入力を提供するために回転及び並進するように動作可能な入力機構に関し、入力機構に、防水加工及び／又は他の封止を提供する。【解決手段】電子デバイスは、筐体１１４と、回転可能かつ並進可能な入力機構１１０とを有する。入力機構は、筐体１１４の開口内に少なくとも部分的に配置されたシャフト２４０と、シャフトに結合された操作構造体１４８とを有する。操作構造体を操作して、シャフトを回転可能及び／又は並進的に移動させ、回転及び並進入力を電子デバイスに提供することができる。筐体と回転可能かつ並進可能な入力機構との間の隙間に、圧縮可能な封止２７１を配置されている。圧縮可能な封止は、開口への汚染物の通過を阻止及び／若しくは防止する、並びに／又は１つ以上の内部構成要素を覆い隠すことができる。圧縮可能な封止は、回転可能かつ並進可能な部材が並進した時につぶれ又は屈曲するように構成することができる。【選択図】図３
2019106382.tif 000002
【特許請求の範囲】
【請求項１】
電子デバイスのための入力機構アセンブリであって、
筐体の開口内に少なくとも部分的に配置されているシャフト、及び
前記シャフトに結合されており、隙間によって前記筐体から離隔された操作構造体を含む、
回転可能かつ並進可能な部材と、
前記開口への汚染物の通過を阻止し、前記回転可能かつ並進可能な部材が並進した時につぶれるように構成されている、前記隙間に配置された圧縮可能な封止と、
を備え、前記回転可能かつ並進可能な部材の回転は、前記電子デバイスへの第１の入力を発生し、
前記回転可能かつ並進可能な部材の並進は、前記電子デバイスへの第２の入力を発生する、電子デバイスのための入力機構アセンブリ。
【請求項２】
前記圧縮可能な封止は、シリコーン、ポリウレタン、水素化ニトリルブタジエンゴム、又はフルオロエラストマのうちの少なくとも１つで形成される、請求項１に記載の入力機構アセンブリ。
【請求項３】
前記圧縮可能な封止は、互いに対して斜めに配置された第１のアームと第２のアームとを含み、
前記第１のアームは、前記筐体に接触し、
前記第２のアームは、前記回転可能かつ並進可能な入力部材に接触し、
前記第１のアームと前記第２のアームとは、前記回転可能かつ並進可能な部材が並進した時に、互いに向かって移動するように動作可能である、請求項１に記載の入力機構アセンブリ。
【請求項４】
前記第１のアームは、第１の端部及び第２の端部を有し、
前記第２のアームは、第３の端部及び第４の端部を有し、
前記第１の端部及び前記第３の端部は接続しておらず、
前記第２の端部及び前記第４の端部は接続している、請求項３に記載の入力機構アセンブリ。
【請求項５】
前記圧縮可能な封止は、前記操作構造体とは異なる材料で形成されているか又は前記操作構造体とは異なる表面処理を有するかの少なくとも１つである、少なくとも１つの構成要素を覆い隠す、請求項１に記載の入力機構アセンブリ。
【請求項６】
前記回転可能かつ並進可能な部材の回転は、前記圧縮可能な封止には伝達されない、請求項１に記載の入力機構アセンブリ。
【請求項７】
前記汚染物は、静水圧がかからない液体を含む、請求項１に記載の入力機構アセンブリ。
【請求項８】
装着型電子デバイスであって、
開口を含む本体と、
クラウンであって、
ノブ、
前記ノブに結合されており、前記開口内に少なくとも部分的に配置された心棒、
前記クラウンの並進により作動可能である、前記クラウンに接続された触知構造体、及び
前記クラウンと前記本体との間に配置されており、前記ノブを前記本体に向かって移動させるように前記クラウンが並進した時に屈曲するように構成された弾性材Ｙリングを含む、
クラウンと、を備え、
前記弾性材Ｙリングは、前記ノブとは異なる視覚的見掛けを有する少なくとも１つの構成要素を覆い隠す、装着型電子デバイス。
【請求項９】
前記弾性材Ｙリングは、前記本体又は前記クラウンから自由に移動するように動作可能である、請求項８に記載の装着型電子デバイス。
【請求項１０】
前記クラウンの回転は、前記弾性材Ｙリングに伝達される、請求項８に記載の装着型電子デバイス。
【請求項１１】
前記クラウンと前記本体との間に配置されたガスケットであって、圧縮時に前記ガスケットがその中で拡張するように構成された刻み目を規定するように整形される、ガスケットを更に備える、請求項８に記載の装着型電子デバイス。
【請求項１２】
前記弾性材Ｙリングにより、前記クラウンの前記並進による前記触知構造体の作動に対応する力曲線の形状が変化しない、請求項８に記載の装着型電子デバイス。
【請求項１３】
前記弾性材Ｙリングは、光の通過を防止するように構成されている、請求項８に記載の装着型電子デバイス。
【請求項１４】
前記弾性材Ｙリングの仕上げ又は色は、光の通過を防止するように構成されている、請求項１３に記載の装着型電子デバイス。
【請求項１５】
システムであって、
エンクロージャを含む装着型デバイスと、
前記エンクロージャの開口に結合されたカラーであって、前記カラーは、外側及び内側を有する、カラーと、
第１の部分及び第２の部分を有し、前記カラーに移動可能に接続された入力機構と、
前記エンクロージャと前記入力機構との間に配置された圧縮構造体と、
を備え、前記第１の部分は、少なくとも１つのブッシングを介して前記カラーの前記外側に移動可能に結合されており、
前記第２の部分は、前記入力機構が前記カラーに対して回転及び並進するように動作可能であるように、前記カラーの前記内側内に配置されている、システム。
【請求項１６】
前記圧縮構造体は、前記エンクロージャ又は前記入力機構のうちの少なくとも１つに固定されている、請求項１５に記載のシステム。
【請求項１７】
前記圧縮構造体は、前記入力機構への塵芥及び非加圧液体の進入に対する障壁として機能する、請求項１５に記載のシステム。
【請求項１８】
前記圧縮構造体は、前記入力機構が回転している間、前記障壁として機能する、請求項１７に記載のシステム。
【請求項１９】
前記カラーは、研磨面又はコーティング面のうちの少なくとも１つを有する、請求項１５に記載のシステム。
【請求項２０】
前記圧縮構造体は、Ｖ形状、Ｕ形状、Ｘ形状又はＹ形状のうちの少なくとも１つを有する、請求項１５に記載のシステム。
【発明の詳細な説明】
【技術分野】
【０００１】
［関連出願の相互参照］
特許協力条約に基づく本出願は、２０１５年３月８日に出願され、「Ｃｏｍｐｒｅｓｓｉｂｌｅ  Ｓｅａｌ  ｆｏｒ  Ｒｏｔａｔａｂｌｅ  ａｎｄ  Ｔｒａｎｓｌａｔａｂｌｅ  Ｉｎｐｕｔ  Ｍｅｃｈａｎｉｓｍｓ」と題された、米国仮特許出願第６２／１２９，９５３号に対する優先権を主張するものであり、その内容は、参照により全体が本明細書内に組み込まれる。
【０００２】
［技術分野］
本開示は、概して、電子デバイスのための、回転可能かつ並進可能なクラウン機構のような回転可能かつ並進可能な入力機構に関し、より詳細には、塵芥などの汚染物質に対する障壁、及び内部構成要素を覆い隠す遮蔽面を形成する回転可能かつ並進可能な入力機構のための圧縮可能な封止に関する。
【背景技術】
【０００３】
多くの種類の電子デバイス、又は小型のフォームファクタデバイスなどの他のデバイスは、ユーザ入力を受け取るために入力装置を利用する。そのようなデバイスは、防水加工すること、及び／又は場合によっては封止することができる。しかしながら、そのようなデバイスに含まれる入力装置は、そのような防水加工及び／又は他の封止に対して欠点となることがある。更に、そのような入力装置は、デバイスのアピアランスを損なうことがある。
【発明の概要】
【０００４】
本開示は、入力を提供するために回転及び並進するように動作可能な入力機構に関するシステム及び装置を詳述する。
【０００５】
一実施形態では、電子デバイスは、筐体と、関連する回転可能かつ並進可能な入力機構とを有することができる。筐体は、回転可能かつ並進可能な入力機構のシャフトがそこを通って延在する開口を規定することができる。また、入力機構は、シャフトに結合された操作構造体を有することができる。操作構造体を操作して、シャフトを回転可能及び／又は並進的に移動させ、１つ以上の種類の入力を電子デバイスに提供することができる。
【０００６】
筐体と回転可能かつ並進可能な入力機構との間の隙間に、圧縮可能な封止を配置することができる。圧縮可能な封止は、開口への汚染物の通過を阻止及び／若しくは防止する、並びに／又は１つ以上の内部構成要素を覆い隠すことができる。圧縮可能な封止は、回転可能かつ並進可能な部材が並進した時につぶれ又は屈曲するように構成することができる。
【０００７】
種々の実施形態において、入力機構アセンブリは、開口を有する筐体を含むことができる。当該入力機構アセンブリはまた、筐体の開口内に少なくとも部分的に配置されているシャフト、及びシャフトに結合されており、隙間によって筐体から離隔された操作構造体を有する、回転可能かつ並進可能な部材を含むことができる。当該入力機構アセンブリは、開口への汚染物の通過を阻止し、操作構造体と筐体との間の隙間を小さくするために、回転可能かつ並進可能な部材が並進した時につぶれるように構成されている、隙間に配置された圧縮可能な封止を更に含むことができる。
【０００８】
いくつかの実施形態では、装着型電子デバイスは、開口を有する本体を含むことができる。装着型電子デバイスはまた、開口内に少なくとも部分的に配置された心棒に結合されたノブを有するクラウンを含むことができる。クラウンは、本体に対して回転及び並進するように動作可能であり得る。当該装着型電子デバイスは、クラウンの並進により作動可能である、クラウンに接続された触知構造体、及びクラウンと本体との間に配置されており、ノブを本体に向かって移動させるようにクラウンが並進した時に屈曲するように構成された弾性材Ｙリングを更に含むことができる。弾性材Ｙリングは、ノブとは異なる視覚的見掛けを有する少なくとも１つの構成要素を覆い隠すことができる。
【０００９】
１つ以上の実施形態では、システムは、エンクロージャ又は筐体を有する装着型デバイス、及びエンクロージャの開口に結合されたカラーを含むことができる。カラーは、外側及び内側を有することができる。当該システムは、第１の部分及び第２の部分を有し、カラーに移動可能に接続された入力機構を更に含むことができる。システムはまた、エンクロージャと入力機構との間に配置された圧縮構造体を更に含むことができる。第１の部分は、少なくとも１つのブッシングを介してカラーの外側に移動可能に結合されており、第２の部分は、入力機構がカラーに対して回転及び並進するように動作可能であるように、カラーの内側内に配置されている。
【００１０】
上述の概略的な説明、及び以下の詳細な説明の両方は例示及び解説を目的としており、本開示を必ずしも限定するものでないことが理解されるであろう。本明細書に含まれており、その一部を成す添付図面は、本開示の主題を示す。あわせて、説明及び図面は、本開示の原理の説明に供する。
【図面の簡単な説明】
【００１１】
【図１】電子デバイス及び回転可能かつ並進可能な入力機構アセンブリを含むシステムの等角図である。
【００１２】
【図２】図１の電子デバイスのいくつかの実装形態において利用することができる例示的な構成要素の機能的関係を示す概略ブロック図である。
【００１３】
【図３】図１Ａの線Ａ−Ａに沿った図１の電子デバイスの断面図である。
【００１４】
【図４】入力機構アセンブリの操作構造体にユーザ入力の力が加えられた時の図３のビューの図である。
【００１５】
【図５】図３の電子デバイスの別の実装形態の図である。
【００１６】
【図６】入力機構アセンブリの操作構造体にユーザ入力の力が加えられた時の図５のビューの図である。
【００１７】
【図７】図３の電子デバイスの更に別の実装形態の図である。
【００１８】
【図８】入力機構アセンブリの操作構造体にユーザ入力の力が印加された時の図７のビューの図である。
【００１９】
【図９】図３の電子デバイスの更に別の実装形態の図である。
【００２０】
【図１０】触知構造体の作動、圧縮可能な封止の圧縮、及び触知構造体の作動と圧縮可能な封止の圧縮との組み合わせに対応する力曲線を示す図である。
【発明を実施するための形態】
【００２１】
以下の説明は、本開示の様々な要素を具現化するサンプルシステム及び装置を含む。しかし、説明された実施形態は、本明細書に説明する形態に加え、様々な形態にて実施されてよいことが理解されるべきであろう。
【００２２】
本開示は、入力を提供するために回転及び並進するように動作可能な入力機構に関するシステム及び装置を詳述する。種々の実施形態は、これらの入力機構に、防水加工及び／又は他の封止を提供することができる。１つ以上の実施形態は、これらの入力機構のアピアランスに影響を及ぼし得る。
【００２３】
一実施形態では、電子デバイスは、筐体と、関連する回転可能かつ並進可能な入力機構とを有することができる。筐体は、回転可能かつ並進可能な入力機構のシャフトがそこを通って延在する開口を規定することができる。また、入力機構は、シャフトに結合された操作構造体を有することができる。操作構造体を操作して、シャフトを回転可能及び／又は並進的に移動させ、１つ以上の種類の入力を電子デバイスに提供することができる。
【００２４】
筐体と回転可能かつ並進可能な入力機構との間の隙間に、圧縮可能な封止を配置することができる。圧縮可能な封止は、開口への汚染物の通過を阻止及び／若しくは防止する、並びに／又は１つ以上の内部構成要素を覆い隠すことができる。圧縮可能な封止は、回転可能かつ並進可能な部材が並進した時につぶれ又は屈曲するように構成することができる。
【００２５】
図１は、本体と、筐体又は他のエンクロージャ、つまり筐体１１４と、回転可能かつ並進可能な入力機構アセンブリ１１０（クラウンなど）とを有する電子デバイス１０２の頂面図である。入力機構アセンブリ１１０は、回転可能かつ並進可能なので、入力機構アセンブリ１１０は、電子デバイス１０２に対する複数の種類の入力を受け取るように動作可能であり得る。例えば、入力機構アセンブリ１１０は、ボタン入力及び回転入力を受け取るように動作可能であり得る。
【００２６】
入力機構アセンブリ１１０と入力機構アセンブリ１１０及び／又は電子デバイス１０２の内部部分への汚染物の通過を阻止するエンクロージャ１１４との間に（図３に一例が示されている）圧縮可能な封止又は構造を配置することができる。圧縮可能な封止の一部分は、入力機構アセンブリ１１０の並進運動を可能にするために、つぶれ及び／又は屈曲することができる。圧縮可能な封止は、入力機構アセンブリ１１０の内部構成要素及び／又は電子デバイス１０２を覆い隠すように、及び／又は場合によっては、それらが見えなくなるように構成することができる。そのような構成により、内部構成要素が筐体１１４の外側から見えることを防止しながら、エンクロージャ１１４及び／若しくは入力機構アセンブリ１１０の外部部分とは異なる材料で形成され、並びに／又は異なる表面を有する内部構成要素の使用が可能になり得る。
【００２７】
電子デバイス１０２は、図１に、ディスプレイ１１６を有する装着型電子デバイスとして示される。しかし、それは一例であることが理解される。種々の実装形態では、電子デバイスは、回転可能かつ並進可能な入力機構を利用する任意の種類の電子デバイスであり得る。例示的な電子デバイスとして、ラップトップコンピュータ、デスクトップコンピュータ、モバイルコンピュータ、スマートフォン、タブレットコンピュータ、フィットネスモニタ、パーソナルメディアプレーヤ、ディスプレイ、オーディオビジュアル機器などが挙げられる。
【００２８】
図２は、図１の電子デバイス１０２のいくつかの実装形態において利用され得る例示的な構成要素の機能的関係を示す概略ブロック図である。図に示すように、電子デバイス１０２は、１つ以上の処理要素１２４、（１つ以上の通信構成要素を含み得る）１つ以上の入出力構成要素１３０、（１つ以上のバッテリなどの）１つ以上の電源１２２、１つ以上のセンサ１２６、入力機構アセンブリ１１０などの１つ以上の入力構成要素、１つ以上のディスプレイ１１６、及び１つ以上のメモリ１２８、並びに／又は他の非一時的記憶構成要素など、複数の相互接続された構成要素を含むことができる。処理要素１２４は、種々の機能を実行するために、メモリ１２８及び／又は他の非一時的記憶構成要素に記憶された命令を実行することができる。例えば、処理要素１２４は、入力機構アセンブリ１１０（及び／又は、ディスプレイ１１６がタッチディスプレイである実装形態ではディスプレイ１１６などの他の構成要素）を介して入力を受信すること、ディスプレイ１１６及び／若しくは入出力構成要素１３０を介して出力を提供すること、並びに／又は入出力構成要素１３０を介して１つ以上の通信を伝送することなどができる。
【００２９】
図３は、図１Ａの線Ａ−Ａに沿った電子デバイス１０２の部分断面図である。図示のように、入力機構アセンブリ１１０は、（艶消し、研磨などの種々の表面仕上げでアルミニウム、金又は他の材料で作製され得るノブなどの）操作構造体１４８の開口に嵌合する（ジルコニア、サファイアなどのような）キャップ３０３を含むことができる。キャップ３０３は、熱活性フィルム、感圧接着剤などのような接着機構２７８を介して操作構造体１４８に嵌合することができる。操作構造体１４８の空洞又は凹みに、（チタンなどの材料で形成され得る）カップリング２１８を取り付けることができる。カップリング２１８は、外側アーム２７６と、心棒又はシャフト２４０とを含むことができる。入力機構アセンブリ１１０は、シャフト２４０の端部２２２と相互係止する（コバルトクロムなど材料で形成され得る）エクステンダ２２６を更に含むことができる。したがって、シャフト２４０の移動により、エクステンダ２２６もまた移動することができる。
【００３０】
操作構造体１４８はキャップ３０３を含むものとして図３に示されているが、それは一例であることが理解される。いくつかの実装形態では、カップリング２１８を、空洞又は凹みのねじ部（図示せず）に螺合し、糊及び／又は他の接着機構により所定の位置に固定することができる。
【００３１】
図に示すように、エンクロージャ１１４は、エンクロージャ１１４の外面２６０から内面１９０まで延在する入力機構開口１７２を規定することができる。入力機構アセンブリ１１０がエンクロージャ又は筐体１１４に対して回転及び並進できるように、入力機構開口１７２に入力機構アセンブリ１１０の１つ以上の部分を配置することができる。
【００３２】
図に示すように、カラー２２０は、エンクロージャ１１４に当接し、入力機構開口１７２を通って延在し、ブラケット３０２と相互係止することができる。いくつかの実施形態では、カラー２２０及びブラケット３０２の一方又は両方が、コバルトクロムから形成され得る。ガスケット２７９は、エンクロージャ１１４とカラー２２０との間に配置することができ、カラー２２０がブラケット３０２と相互係止した時に圧縮することができる。ガスケット２７９は、カラー２２０がブラケット３０２に螺合する、又は場合によってはその近くに移動するにつれて、ガスケットに圧縮力が加えられた時にガスケット２７９が拡張することを可能にする１つ以上の外部スカラップ又は窪み２８１を有することができる。
【００３３】
外力がかかっていない時には、ガスケット２７９の断面は、Ｉ字型になり得る。側壁のガスケット２７９の窪み（単数又は複数）２８１により、ガスケットの内部が、上述の圧縮力を受けて外側に拡張することが可能になる。次に、これにより、平坦でない形状の又は比較的小さいＩ字型のガスケット２７９を使用することが可能なり得、Ｉ字型のガスケット２７９は、ガスケット２７９の高さと同様又は同一の直径を有するＯリングには適さないことがある。そのようなＯリングは、圧縮力を受けた時に、利用可能な制限空間へと拡張することができないことがあり、したがって、カラー２２０とブラケット３０２とが１つにしっかりと係止することを防止することができる。
【００３４】
カラー２２０の外周にカップリングの外側アーム２７６を配置することができ、シャフト２４０を少なくとも部分的にカラー２２０の内側に配置することができる。したがって、入力機構アセンブリ１１０は、回転可能かつ並進的に移動可能となるように、カラー２２０の内側及び外側内でその周囲に移動可能に接続され得る。
【００３５】
入力機構アセンブリ１１０の１つ以上の一部分とエンクロージャ１１４との間に、圧縮可能な封止２７１を配置することができる。圧縮可能な封止２７１は、入力機構アセンブリ１１０と筐体１１４との間の隙間２７０への汚染物（例えば、塵芥、粒子及び／又は液体）の通過を阻止又は防止することができる。圧縮可能な封止２７１は、入力機構アセンブリ１１０の並進運動するために、つぶれ及び／又は屈曲することができる。
【００３６】
図４は、図３と類似する断面図であるが、ユーザがキャップ３０３を押下するなど、外力を受けた入力機構アセンブリ１１０が示されている。図に示すように、外力が、操作構造体１４８をエンクロージャ１１４のより近く移動させる。圧縮可能な封止は、入力機構アセンブリ１１０の内部構成要素及び／又は電子デバイス１０２を覆い隠すように、及び／又は場合によっては、それらが見えなくなるように構成することができる。
【００３７】
ブッシング２７７を、カップリングの外側アーム２７６に接続し、シール２７４のベース部分に隣接して配置することができる。ブッシング２７７は、カラー２２０の外側と協働して、外側アーム２７６が、カラー２２０の周りを回転し、カラー２２０に沿って並進することを可能にすることができる。したがって、ブッシング２７７は、入力機構アセンブリ１１０の回転及び／又は並進の応力の大部分を支えることができる。図に示すように、ブッシング２７７は、カップリングアーム２７６の凹み２８０にセットされ、（外側アーム２７６に溶接され得る、又は場合によっては固定され得るチタン又は他の材料で作製されたワッシャーのような）プレート２７５により少なくとも部分的に覆ってもよい。これらの特徴により、移動中の応力及び／又はブッシング２７７の移動により生じるブッシング２７７の離隔を低減することができる。
【００３８】
いくつかの実装形態では、ブッシング２７７は、高分子量ポリエチレンのような材料で形成することができ、カラー２２０は、ブッシング２７７がカラー２２０に沿って及び／又はカラー２２０の周りを移動する時に摩擦及び／又は応力を最小限に抑えるように、研磨面及び／又はコーティング面を有することができる。圧縮可能な封止２７１がカラー２２０を覆い隠し得るので、カラー２２０の研磨面は、外から見えないことがあり、操作構造体１４８及び／又はエンクロージャ１１４の表面から視覚的に注意を逸らせないことがある。
【００３９】
シャフト２４０とカラー２２０との間に（１つ以上のＯリングなどの）１つ以上のガスケット１５４を配置することができる。ガスケット１５４は、カラー２２０の内側と協働して、シャフト２４０は、カラー２２０の周りを回転し、カラー２２０に沿って並進することを可能になり得る。また、ガスケット１５４の移動を促進してシャフト２４０がカラー２２０内で回転及び並進することがより一層可能になるように、カラー２２０の内側をコーティング及び／又は研磨してもよい。また、そのようなガスケット１５４は、筐体１１４への（塵芥、埃及び／又は液体などの）汚染物の進入に対する障壁を形成することができ、以下で説明するように、シャフト２４０がエクステンダ２２６に固定した時に少なくとも部分的に圧縮され得る。
【００４０】
図に示すように、シャフト２４０の１つ以上の窪み又は環状溝にガスケット１５４を配置することができる。そのような窪みは、シャフト２４０の移動中、シャフト２４０の長さに沿ったガスケット１５４の移動を防止するように動作することができる。また、そのような窪みにより、シャフト２４０は、ガスケット１５４のための空間を可能しながら、直径を可能な限り広くすることが可能になり得る。いくつかの実施形態では、窪みは、丸みを帯びた縁部を有する。他の実装形態では、窪みは、ガスケット１５４のための空間を更に可能しながらシャフト２４０のサイズを最大にするために、更に丸みを帯びていても、及び／又は場合によっては、ガスケット１５４の形状により密接に合致するように整形してもよい。ただし、更に他の実装形態では、窪みは、方形であっても、及び／又は場合によっては、丸みを帯びた縁部なしに整形してもよい。
【００４１】
２つのガスケット１５４が図示されている。ただし、それは一例であり、種々の実装形態では、異なる数のガスケット１５４を利用してもよいことが理解される。１つのガスケット１５４を利用して、シャフト２４０の回転及び並進を可能にするだけでなく、汚染物の進入に対する障壁の形成を可能にしてもよい。ただし、他の実施形態では、回転及び／又は並進中、シャフト２４０に安定性を提供するために、複数のガスケット１５４を利用してもよい。
【００４２】
エクステンダ２２６は、シャープレート１５６を介して、基板１６６上に装着された触知構造体２１４にシャフト２４０の並進運動を伝達するように動作可能であり得る。エンクロージャ１１４に近づけるように操作構造体１４８を移動させるシャフト２４０の並進運動により、エクステンダ２２６及びシャープレート１５６を介して、触知構造体２１４をアクティブ化することができる。
【００４３】
エクステンダ２２６は、図示のようにフランジを付けても、及び／又は場合によっては、エクステンダ２２６が入力機構開口１７２を通過することができないように構成してもよい。これにより、エクステンダ２２６は、エクステンダ２２６及びシャフト２４０を取り付けた後に入力機構アセンブリ１１０が電子デバイス１０２から取り外されることを防止することが可能になり得る。更に、エクステンダ２２６は、シャフト２４０よりも大きい面積を有することができる。これにより、シャープレート１５６に接触するために、及び／又は他の目的のために、エクステンダ２２６の表面積をシャフト２４０よりも大きくしてもよい。
【００４４】
いくつかの実装形態では、触知構造体２１４は、スイッチ２５２を含み得、スイッチ２５２のアクティブ化は、電子デバイス１０２によって、入力機構アセンブリ１１０の並進運動に関する入力として解釈され得る。触知構造体２１４がスイッチ２５２を含むか否かにかかわらず、触知構造体２１４の作動は、シャープレート１５６、エクステンダ２２６及びシャフト２４０を介して操作構造体１４８に触知出力を伝達するように動作可能であり得る。例えば、触知構造体２１４は、ドーム２１６を含むことができる。ドーム２１６は、シャープレート１５６に接触することができる。操作構造体１４８をエンクロージャ１１４に近づけるシャフト２４０の並進運動を引き起こす力による触知構造体２１４のアクティブ化は、（図４に示すように）ドーム２１６を圧縮し、操作構造体１４８を介して感知され得る「ボタンクリック」の触知を伝達することができる。また、ドーム２１６の圧縮は、いくつかの実装形態において可聴出力を生成することができる。力が加えられなくなると、ドーム２１６は復元することができ、シャフト２４０の並進運動を引き起こして、次いで、図３に示すように、操作構造体１４８をエンクロージャ１１４から離して移動させる。
【００４５】
シャープレート１５６は、エクステンダ２２６の移動に関する応力又は損傷から触知構造体２１４を保護するシム２５０を含むことができる。いくつかの実装形態では、回転及び／又は並進中にエクステンダ２２６への電気的接続を維持するシム２５０に、接触プレート１５８を接続することができる。この接触プレート１５８は、ユーザが操作構造体１４８に触れることによってユーザと電子デバイス１０２との間に電気的接続が形成され得る実装形態などにおいて、電子デバイス１０２と入力機構アセンブリ１１０との間に電気経路を形成することができる。
【００４６】
１つ以上の感知要素１４２により検出され得る１つ以上の追跡可能要素１４６を種々の実装形態において利用することができる。図に示すように、（図１０の実施形態などの）いくつかの実装形態では、エクステンダ２２６の表面に追跡可能要素１４６を形成してもよい。他の実装形態では、追跡可能要素１４６は、エクステンダ２２６に結合された別個の構成要素であり得る。典型的には、シャフト及びカラーが回転するにつれて、追跡可能要素もまた回転する。
【００４７】
感知要素１４２により検出された追跡可能要素１４６の移動は、電子デバイス１０２により入力として解釈することができる。追跡可能要素１４６のそのような移動は、エクステンダ２２６の回転及び／又は並進に対応することができ、したがって、回転及び／又は返信移動入力として解釈することができる。いくつかの実施形態は、感知要素が回転運動及び入力を検出することができるように追跡可能要素を構成することができ、他の実施形態は、並進運動及び入力の検出が可能になるように追跡可能要素１４６を構成することができる。更に他の実施形態は、両方の運動及び／又は入力の検出が可能にするように追跡可能要素１４６を構成することができる。
【００４８】
例えば、追跡可能要素１４６は、磁気要素であり得る。そのような例では、感知要素１４２は、ホール効果センサなどの磁界センサであり得る。
【００４９】
別の例として、追跡可能要素１４６は、光学的に感知されてもよい。追跡可能要素１４６は、一連の、一組の又は他のパターンの明るいマーク及び暗いマーク、ストライプ、スカラップ、窪みなどのパターン、あるいは、反射率、光沢などが変動する領域であっても、それらを含んでもよく、感知要素１４２は、感知要素１４２及び／又は別の光源により発生され、追跡可能要素１４６で反射した光を受け取ることができる。この反射光は、追跡可能要素１４６のパターンにより変動し得るため、その反射光を感知することができ、その光が入射した追跡可能要素１４６のパターンを判定することができる。したがって、追跡可能要素１４６のパターンが追跡可能要素１４６の表面及び／又は外周に沿って十分に一意である場合、追跡可能要素１４６の回転運動及び／又は並進運動、したがってそれに対応する入力を、感知要素１４２により検出することができる。
【００５０】
いくつかの実装形態では、入力機構アセンブリ１１０の回転運動及び並進運動の双方に関係する入力は、感知要素１４２により検出することができる。他の実装形態では、入力機構アセンブリ１１０の回転運動に関する入力は、感知要素１４２により検出することができ、入力機構アセンブリ１１０の並進運動に関する入力は、感知要素１４２と触知構造体２１４のアクティブ化との組み合わせにより検出することができる。更に他の実装形態では、入力機構アセンブリ１１０の回転運動に関する入力は、感知要素１４２により検出することができ、入力機構アセンブリ１１０の並進運動に関する入力は、触知構造体２１４のアクティブ化により検出することができる。本開示の範囲から逸脱することなく、種々の構成が可能であり、企図される。
【００５１】
次に、圧縮可能な封止２７１についてより詳細に論じる。上記で論じたように、（弾性材、シリコーン、ポリウレタン、水素化ニトリルブタジエンゴム、ブランド名Ｖｉｔｏｎ（商標）で販売されるものなどのフルオロエラストマ、及び／又は他のそのような材料などの材料の圧縮成形及び／又は別の処理によって形成され得る）圧縮可能な封止２７１は、入力機構アセンブリ１１０の並進運動を可能にするために、つぶれ及び／又は屈曲するように動作可能であり得る。いくつかの実施形態では、圧縮可能な封止２７１は、別の好適な弾性材、ポリマー、又は金属から形成してもよい。１つの非限定的な例として、圧縮可能な封止は、コバルトクロム又はチタンのシートメタルから形成することができ、約０．０１ｍｍ厚とすることができる。図４は、操作構造体１４８をエンクロージャ１１４に近づけ、圧縮可能な封止２７１をつぶす入力機構アセンブリ１１０の並進運動を示している。
【００５２】
力を受けると圧縮するが、つぶれ又は屈曲はしないＯリングなどの封止部材とは対照的に、圧縮可能な封止２７１は、触知構造体２１４のアクティブ化に対応する力曲線の形状を変化させることができない。図１０は、触知構造体２１４の作動に対応する力曲線１００１と、圧縮可能な封止２７１の圧縮に対応する力曲線１００２と、触知構造体２１４の作動と圧縮可能な封止２７１の圧縮との組み合わせに対応する力曲線１００３とを示すグラフである。図示のように、圧縮可能な封止２７１の圧縮は、力曲線１００２と比較して比較的小さな力の線形勾配となり得る。力曲線１００１と力曲線１００２とを組み合わせると、圧縮可能な封止２７１の圧縮に関する追加の力により力曲線１００３のマグニチュードが変化するが、力曲線１００２及び１００３形状は変化しない。
【００５３】
圧縮可能な封止２７１は、入力機構アセンブリ１１０の回転を可能にすることができる。いくつかの実装形態では、圧縮可能な封止２７１は、自由に旋回又は移動し、エンクロージャ１１４又は入力機構アセンブリ１１０のいずれかからを外れることができる。したがって、圧縮可能な封止２７１は、入力機構アセンブリ１１０と圧縮可能な封止２７１との間の摩擦が圧縮可能な封止２７１を移動させるのに十分である場合、及び／又は圧縮可能な封止２７１とエンクロージャ１１４との間の摩擦を克服する場合、入力機構アセンブリ１１０の回転と共に移動することができる。このようにすると、入力機構アセンブリ１１０の回転は、圧縮可能な封止２７１に伝達されても、伝達されなくてもよい。他の実装形態では、圧縮可能な封止２７１は、エンクロージャ１１４又は入力機構アセンブリ１１０の１つ以上の部分に固定することができる。
【００５４】
上記で論じたように、圧縮可能な封止２７１は、入力機構アセンブリ１１０（ブッシング２７７とカラー２２０との間の空間など）への、及び／又は電子デバイス１０２への汚染物の進入に対する障壁をとして機能することができる。圧縮可能な封止２７１は、埃、塵芥及び／又は他の粒子の通過を阻止することができる。圧縮可能な封止２７１はまた、静水圧がかかっていない液体（即ち、非加圧液体）の通過も阻止することができる。種々の実装形態では、圧縮可能な封止２７１は更に、加圧液体の通過を可能にすることができる。圧縮可能な封止２７１は、入力機構アセンブリ１１０の回転及び／又は並進を可能にするので、圧縮可能な封止２７１は、入力機構アセンブリ１１０が回転及び／又は並進している間、汚染物の通過を阻止することができる。
【００５５】
したがって、圧縮可能な封止２７１は、入力機構アセンブリ１１０への塵芥及び非加圧液体などの汚染物の進入に対する第１の障壁を提供することができる。ガスケット１５４は、エンクロージャ１１４への加圧液状などの汚染物の進入に対する第２の障壁を形成することができる。したがって、ガスケット１５４は、圧縮可能な封止２７１よりも包括的な障壁を形成することができる。
【００５６】
また上記で論じたように、圧縮可能な封止２７１は、隠蔽機能を実行するように構成することができる。圧縮可能な封止２７１は、種々の構成要素を覆い隠す、及び／又は場合によっては視界から遮断するようにする構成することができる。そのような構成要素は、視覚的に注意を逸らすことができ、並びに／又は、エンクロージャ１１４及び／若しくは操作構造体１４８とは異なる材料で形成しても、並びに／又は、エンクロージャ１１４及び／又は操作構造体１４８とは異なる表面処理で形成してもよい。
【００５７】
例えば、圧縮可能な封止２７１は、カラー２２０を視界から遮断するようにすることができる。これにより、研磨金属が電子デバイス１０２の外側から見えるようすることなく、カラー２２０をそのような研磨金属で形成することが可能になり得る。
【００５８】
いくつかの場合には、圧縮可能な封止２７１は、光を捕捉する、及び／又は場合によっては視覚的に注意を逸らさない光学的性質を有するように構成することができる。例えば、フルオロエラストマ及び／又は他の弾性材で形成された圧縮可能な封止２７１は、（光沢面、及び／又は場合によっては反射面とは対照的に）艶消し面で構成することができ、（ダークグレーなどの）暗色に着色してもよい。艶消し仕上げ及び暗色は、光を捕捉するように機能することができ、それにより、圧縮可能な封止２７１が視覚的に注意を逸らさず、その代わりに、ディスプレイ１１６、エンクロージャ１１４及び／又は操作構造体１４８に視覚焦点が引かれる。
【００５９】
図に示すように、圧縮可能な封止２７１は、第１のアーム２７２と第２のアーム２７３とが互いに対して斜めに配置されているＹリングとすることができる。第１のアーム２７２は、エンクロージャ１１４に接触する第１の端部と、ベース部分２７４を介して第２のアーム２７３に接続する第２の端部とを有することができる。第２のアーム２７３は、（プレート２７５に接触するものとして示される）入力機構アセンブリ１１０に接触する第３の端部と、ベース部分２７４を介して第１のアーム２７２に接続する第４の端部とを有することができる。図３〜図４に示すように、操作構造体１４８をエンクロージャ１１４に近づける入力機構アセンブリ１１０の並進運動（操作構造体１４８とエンクロージャ１１４との間に隙間を小さくする）は、第１のアーム２７２と第２のアーム２７３とを互いに向かって移動させることができる。
【００６０】
しかし、それは一例であることが理解される。他の実装形態では、圧縮可能な封止２７１は、Ｘ形状、Ｕ形状、Ｖ形状及び／又は他の形状など、Ｙ形状以外の形状を有することができる。例えば、図５は、図３の電子デバイス１０２の第１の代替例を示している。
【００６１】
図５に示すとおり、エンクロージャ１１４と入力機構アセンブリ１１０との間に空間に、圧縮可能な封止５７１を配置することができる。圧縮可能な封止５７１は、互いに対して角度が付けられている、接続された第１の部分５０１及び第２の部分５０２を含むことができる。第２の部分５０２は、プレート２７５及び／又は入力機構アセンブリ１１０の他の部分に接触することができる。図６は、エンクロージャ１１４に近づく入力機構アセンブリ１１０の並進運動に応答する、第１の部分５０１及び第２の部分５０２の屈曲を示している。したがって、圧縮可能な封止５７１は、入力機構アセンブリ１１０への汚染物の進入に対する障壁を形成することができ、圧縮可能な封止５７１がエンクロージャ１１４に接触していなくても、カラー２２０などの入力機構アセンブリ１１０の構成要素を覆い隠すことができる。圧縮可能な封止５７１により、圧縮可能な封止５７１がエンクロージャ１１４に接触していなくても、入力機構アセンブリ１１０の回転及び並進運動が依然として可能になり得る。
【００６２】
別の例として、図７は、図３の電子デバイス１０２の第２の代替例を示している。図示のように、エンクロージャ１１４と入力機構アセンブリ１１０との間に、Ｖ形状の圧縮可能な封止７７１があり得る。圧縮可能な封止７７１は、プレート２７５を取り付ける、又は場合によってはプレート２７５に接触する第１の部分７０１と、エンクロージャ１１４に接触するように第１の部分７０１に対してすなわち角度を付けて配置されている第２の部分７０２とを含むことができる。図８は、操作構造体１４８をエンクロージャ１１４に近づける入力機構アセンブリ１１０の並進運動に応答して、第２の部分７０２を第１の部分７０１に近づいた、圧縮可能な封止７７１を示している。
【００６３】
図９は、回転可能かつ並進可能な入力機構の更に別の例示的な実施形態を示している。当該機構の全般的な構造は、前の実施形態に関して説明したものと類似又は同一であり、したがって、この図面に関しては、類似又は同一の部品の説明は省略する。
【００６４】
ただし、ここでは、スイッチ２５２、その基板１６６、シャープレート１５６及び接触プレート１５８は、モジュラーアセンブリ９００の一部として構成することができる。いくつかの実施形態では、感知要素１４２も同様にモジュラーアセンブリ９００の構成要素であり得るが、感知要素１４２は必須ではない。同様に、モジュラーアセンブリ９００の構成要素のうちのいずれかに関連する任意の可撓性又は他の電気コネクタもまた、任意選択として当該構造内に含まれ得る。
【００６５】
一般的には、モジュール壁９０１内にモジュラーアセンブリ９００を収容することができる。アセンブリ９００の種々の要素は、モジュラー壁９０１に固定することができ、又は場合によっては比較的安定するようにモジュラー壁９０１の中に収容してもよい。例示的な電子デバイス１０２を組み立てる間、筐体１１４により形成された空洞内に、モジュラーアセンブリ９００を定置することができる。筐体１１４の内部に、プレート９０３などの支持構造体を固定することができる。１つ以上のねじ９０５、９０７、又は他の好適な締め具、接着剤、溶接部若しくはボンドは、モジュラー壁９０１を（したがって、アセンブリ９００を）支持構造体９０３に、最終的には筐体１１４に固定することができる。いくつかの実施形態では、モジュラーアセンブリ９００を支持構造体９０３に固定する前に、感知要素１４２を配置することができる。更に他の実施形態では、ブラケット３０２により筐体１１４に対して所定の位置に、支持構造体９０３を固定して保持することができる。
【００６６】
図３に戻ると、いくつかの実装形態では、接合されて１つの構造体になる、フレーム３０１、（図示されないブラケット３０２及びフレーム３０１のねじ部を介して螺合されるような、フレーム３０１に取り付けられた）ブラケット３０２、エクステンダ２２６、シャープレート１５６、基板１６６、感知要素１４２、触知構造体２１４などのような複数の構成要素を含むモジュール３００を提供することができる。エンクロージャ１１４内にモジュール３００を定置することができる。触知構造体２１４及びシャープレート１５６は、ブラケット３０２に向かってエクステンダ２２６を付勢し、所定の位置にエクステンダ２２６を保持することができる。
【００６７】
ガスケット２７９を間に入れた状態でカラー２２０を入力機構開口１７２に挿入し、カラー２２０をブラケット３０２に（相互係止ねじを介してブラケット３０２にカラー２２０を螺合することなどによって）取り付け、ガスケット２７９を圧縮して窪み２８１に入れ、膨張させることができる。
【００６８】
カラー２２０の上に、操作構造体１４８を有するカップリング２１８を定置し、シャフト２４０がカラー２２０に挿入されるようにエンクロージャ１１４と入力機構アセンブリ１１０との間に圧縮可能な封止２７１を配置することができる。エクステンダ２２６に端部２２２を挿入して取り付ける（相互係止ねじを介して螺合するなど）ことができる。図に示すように、端部２２２は、エクステンダ２２６が、端部２２２をエクステンダ２２６内に配置した時にシャフト２４０に対して緊張するように、シャフト２４０の残部よりも小さい直径を有することができる。
【００６９】
組み立ての特定の方法について上述してきたが、それは一例であることが理解される。種々の実装形態では、本開示の範囲を逸脱することなく、同じ、類似の、及び／又は異なる構成要素の構成を、組み立てることができる。
【００７０】
上述し、添付図面に示したとおり、本開示のシステム及び装置は、回転及び並進するように動作可能な入力機構に関している。電子デバイスは、筐体と、回転可能かつ並進可能な入力機構とを有し得る。筐体は、開口を有することができ、回転可能かつ並進可能な入力機構は、開口内に少なくとも部分的に配置されたシャフトと、シャフトに結合された操作構造体とを有することができる。操作構造体を操作して、シャフトを回転可能及び／又は並進的に移動させ、回転及び並進入力を電子デバイスに提供することができる。筐体と回転可能かつ並進可能な入力機構との間の隙間に、圧縮可能な封止を配置することができる。圧縮可能な封止は、開口への汚染物の通過を阻止及び／若しくは防止する、並びに／又は１つ以上の内部構成要素を覆い隠すことができる。圧縮可能な封止は、回転可能かつ並進可能な部材が並進した時につぶれ又は屈曲するように構成することができる。
【００７１】
本開示及びその付随する利点の多くは、前述により理解されるであろうことが信じられ、コンポーネントの形態、構造、及び配列における様々な変更が、開示の主題から逸脱することなく、又はその有形の利点のすべてを損なうことなく、行われてよいことが明白となるであろう。説明された形態は単に説明的なものであり、そのような変更を包含し、含むことは、以下の特許請求の範囲の意図するところである。
【００７２】
様々な実施形態を参照して、本開示を説明してきたが、これらの実施形態は例示的なものであり、本開示の範囲は、それらに限定されるものではないことが理解されるであろう。多くの変形、修正、追加、及び改善が可能である。より全般的には、本開示による実施形態は、特定のコンテキスト又は実施形態にて説明されてきた。本開示の様々な実施形態では、機能性を、ブロック内で異なる方式で分離又は組み合わせることができ、あるいは異なる専門用語で説明することもできる。これらの変形、修正、追加、及び改善、並びに他の変形、修正、追加、及び改善は、以下の特許請求の範囲で定義されるような、本開示の範囲内に包含することができる。
【図１】
2019106382.tif 000003
【図２】
2019106382.tif 000004
【図３】
2019106382.tif 000005
【図４】
2019106382.tif 000006
【図５】
2019106382.tif 000007
【図６】
2019106382.tif 000008
【図７】
2019106382.tif 000009
【図８】
2019106382.tif 000010
【図９】
2019106382.tif 000011
【図１０】
2019106382.tif 000012
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
装着型電子デバイスであって、
開口を有する筐体と、
少なくとも部分的に前記筐体の内部に位置し、タッチ入力の受信及びグラフィカルな出力の生成をするように構成されたディスプレイと、
前記開口を通って延びるシャフトを有するクラウンと、
前記筐体の内部で前記シャフトの側に沿って位置する光学的感知要素であって、前記シャフトを囲む表面から反射する光を利用して前記シャフトの回転を検知するように構成される光学的感知要素と、
前記筐体の内部で前記シャフトの端部に沿って配置されるスイッチであって、前記シャフトの並進を検知するように構成されるスイッチと、
前記ディスプレイの前記グラフィカルな出力は、
前記シャフトの前記回転、
前記シャフトの前記並進、及び、
前記タッチ入力のそれぞれに応じて変化する、装着型電子デバイス。
【請求項２】
前記開口の内部で前記シャフトの周りに位置するガスケットをさらに備える請求項１に記載の装着型電子デバイス。
【請求項３】
前記ガスケットは第一ガスケットであり、
前記装着型電子デバイスは、前記第一ガスケットから離間して前記シャフトの周りに位置する第二ガスケットをさらに備える、請求項２に記載の装着型電子デバイス。
【請求項４】
前記スイッチは前記シャフトの前記並進に応じてつぶれるように構成されるドームを備える請求項１に記載の装着型電子デバイス。
【請求項５】
前記ドームは、前記クラウンを前記筐体から外方に付勢する復帰力を提供するように構成される請求項４に記載の装着型電子デバイス。
【請求項６】
前記シャフトに結合され、前記開口の直径よりも大きい直径を有するエクステンダをさらに備える請求項５に記載の装着型電子デバイス。
【請求項７】
前記ドームは、つぶれた際に、可聴出力を生成するように構成されることを特徴とする請求項４に記載の装着型電子デバイス。
【請求項８】
装着型電子デバイスであって、
開口を有する筐体と、
前記開口を通って延びるシャフトを有するクラウンであって、外側方向に沿って未押下位置に付勢されるクラウンと、
前記筐体の内部に位置し、前記シャフトを囲む表面から反射する光を利用して回転入力を検知するように構成される光学的感知要素と、
前記筐体の内部に位置し、前記クラウンの並進を検知するように構成されるスイッチと、
前記筐体の内部で前記シャフトに結合され、前記外側方向に沿った前記クラウンの並進を制限するように構成されたエクステンダと、を備える装着型電子デバイス。
【請求項９】
前記エクステンダは前記シャフトを囲む前記表面を画定し、
前記光学的感知要素は前記エクステンダの前記表面から反射する光を用いて前記回転入力を検知するように構成される、請求項８に記載の装着型電子デバイス。
【請求項１０】
前記クラウンは前記シャフトを囲む前記表面に沿って配置される追跡可能特徴を含み、
前記反射する光は前記追跡可能特徴から反射する光である、請求項９に記載の装着型電子デバイス。
【請求項１１】
前記スイッチは前記クラウンの前記並進を検知するように構成されるドームを備える、請求項８に記載の装着型電子デバイス。
【請求項１２】
前記ドームは前記クラウンが内側に移動して前記ドームをつぶしたときに前記クラウンの前記並進を検知するように構成される、請求項１１に記載の装着型電子デバイス。
【請求項１３】
前記装着型電子デバイスはさらに、
前記シャフトに結合され前記筐体の外側に位置する操作構造体であって、前記回転入力及び前記クラウンの前記並進を引き起こす並進入力を受信するように構成される操作構造体と、
前記操作構造体と前記筐体の外側の間に位置する圧縮可能な封止と、を備える、請求項８に記載の装着型電子デバイス。
【請求項１４】
前記圧縮可能な封止は、前記クラウン及び前記筐体に接触するＹ形状部材を画定する、請求項１３に記載の装着型電子デバイス。
【請求項１５】
装着型電子デバイスであって、
筐体と、
クラウンであって、
前記筐体の壁に沿って位置する操作構造体と、
前記操作構造体に結合し前記筐体の中へ延びるシャフトと、を備えるクラウンと、
前記筐体の内部に位置し、前記シャフトを囲む表面から反射する光を利用して前記クラウンの回転を検知するように構成される光学的感知要素と、
前記筐体の内部に位置するドームであって、前記クラウンが内側に移動して前記ドームをつぶしたときに前記クラウンの並進を検知するように構成されたドーム、を有するスイッチと、を備える装着型電子デバイス。
【請求項１６】
少なくとも部分的に前記筐体の内部に位置するディスプレイと、
前記ディスプレイにおいて受信するタッチ入力を検出するように構成されたタッチセンサと、をさらに備える請求項１５に記載の装着型電子デバイス。
【請求項１７】
前記クラウンはさらに、前記操作構造体の端面に結合される外側キャップを備える請求項１５に記載の装着型電子デバイス。
【請求項１８】
前記壁は第一開口を有し、
前記シャフトは前記第一開口を通って前記筐体の中へ延び、
前記筐体は第二開口を含み、
前記装着型電子デバイスはさらに、少なくとも部分的に前記第二開口に位置するディスプレイを備える、請求項１５に記載の装着型電子デバイス。
【請求項１９】
前記光学的感知要素は前記シャフトの端部に近接して位置する請求項１５に記載の装着型電子デバイス。
【請求項２０】
前記光学的感知要素は、前記反射する光を利用して前記シャフトの速さ又は方向の１つ又は両方を検知するように構成される請求項１９に記載の装着型電子デバイス。
【手続補正２】
【補正対象書類名】明細書
【補正対象項目名】００４６
【補正方法】変更
【補正の内容】
【００４６】
１つ以上の感知要素１４２により検出され得る１つ以上の追跡可能要素１４６を種々の実装形態において利用することができる。図に示すように、（図９の実施形態などの）いくつかの実装形態では、エクステンダ２２６の表面に追跡可能要素１４６を形成してもよい。他の実装形態では、追跡可能要素１４６は、エクステンダ２２６に結合された別個の構成要素であり得る。典型的には、シャフト及びカラーが回転するにつれて、追跡可能要素もまた回転する。
【外国語明細書】
2019106382000001.pdf